(57)【要約】【課題】原稿に形成された画像を読み取って、生成された画像情報を外部メモリに格納する際に、ユーザの利便性を確保する。【解決手段】ＨＤＤ１３は、ＵＳＢメモリ２に書き込む対象の画像情報である書込対象画像情報を格納する書込対象記憶部１３ｂを備え、ＣＰＵ１２１は、原稿画像情報を生成する画像生成制御部１２１ａと、生成された原稿画像情報を書込対象記憶部１３ｂに追加して書き込む原稿画像書込部１２１ｃと、書込対象画像情報に不可逆圧縮処理を施し不可逆圧縮情報を生成する不可逆圧縮部１２１ｄと、不可逆圧縮情報をＵＳＢメモリ２へ書き込むメモリ書込部１２１ｅと、ＵＳＢメモリ２へ書き込むことができない場合に、操作入力に基づいて、予め設定された複数の処理の中から１の処理を選択する処理決定部１２１ｆとを備えている。【選択図】図２
2007235297.tif 000002
【特許請求の範囲】
【請求項１】
外部メモリが着脱自在に構成された画像形成装置であって、
枚数が２以上の第１所定数である原稿にそれぞれ形成された画像を、原稿毎に順次読み取ることにより、前記第１所定数の個数の原稿画像情報を生成する画像生成手段と、
外部メモリに書き込む対象の画像情報である書込対象画像情報を格納する書込対象記憶手段と、
前記画像生成手段により原稿画像情報が生成される度に、生成された原稿画像情報を、前記書込対象記憶手段に、前記書込対象画像情報として、既に格納されている原稿画像情報に追加して書き込む原稿画像書込手段と、
前記原稿画像書込手段により原稿画像情報が前記書込対象記憶手段に書き込まれる度に、前記書込対象記憶手段に格納されている前記書込対象画像情報に対して不可逆圧縮処理を施し不可逆圧縮情報を生成する不可逆圧縮手段と、
前記不可逆圧縮手段により不可逆圧縮情報が生成される度に、前記不可逆圧縮情報を前記外部メモリへ書き込むメモリ書込手段と、
前記メモリ書込手段により前記外部メモリへ書き込むことができない場合に、外部からの操作入力を受け付け、受け付けられた操作入力に基づいて、予め設定された複数の処理の中から１の処理を選択する処理決定手段と
を備え、
前記メモリ書込手段は、前記外部メモリに既に不可逆圧縮情報が格納されている場合には、格納されている不可逆圧縮情報に上書きして、前記不可逆圧縮手段により生成された不可逆圧縮情報を書き込むことを特徴とする画像形成装置。
【請求項２】
装着されていた外部メモリである第１外部メモリが取り外され、新たな外部メモリである第２外部メモリが装着される場合に、前記第２外部メモリに前記不可逆圧縮情報を書き込む処理である保存先変更処理を実行する保存先変更手段を備え、
前記処理決定手段は、前記保存先変更処理を選択可能に構成されていることを特徴とする請求項１に記載の画像形成装置。
【請求項３】
前記保存先変更手段は、前記処理決定手段により前記保存先変更処理が選択され、前記第１外部メモリが取り外され、前記第２外部メモリが装着された場合に、前記不可逆圧縮手段に対して、前記書込対象記憶手段に格納されている書込対象画像情報に不可逆圧縮処理を施して不可逆圧縮情報を生成させ、
前記メモリ書込手段に対して、前記不可逆圧縮手段により生成された不可逆圧縮情報を前記第２外部メモリへ書き込ませることを特徴とする請求項２に記載の画像形成装置。
【請求項４】
前記第１外部メモリが取り外され、前記第２外部メモリが装着される度に、前記第２外部メモリの容量情報を取得する容量取得手段と、
前記第２外部メモリの容量が、前記第１外部メモリの容量以下であるか否かを判定する容量判定手段と、
前記容量判定手段により、前記第２外部メモリの容量が、前記第１外部メモリの容量以下である判定された場合に、前記保存先変更手段に対して、前記保存先変更処理の実行を禁止する禁止手段と
を備えることを特徴とする請求項２又は請求項３に記載の画像形成装置。
【請求項５】
装着されていた外部メモリである第１外部メモリが取り外され、新たな外部メモリである第２外部メモリが装着される場合に、前記不可逆圧縮情報を、前記第１外部メモリと、前記第２外部メモリとに分割して書き込む処理である保存先分割処理を実行する分割実行手段を備え、
前記処理決定手段は、前記保存先分割処理を選択可能に構成されていることを特徴とする請求項１に記載の画像形成装置。
【請求項６】
前記画像生成手段により生成された原稿画像情報を格納する生成画像記憶手段を備え、
前記分割実行手段は、前記処理決定手段により前記保存先分割処理が選択された場合に、前記書込対象記憶手段に格納された書込対象画像情報の内、前記生成画像記憶手段に格納されている原稿画像情報を削除して書込対象画像情報を書き換えて前記書込対象記憶手段に書き込み、
前記不可逆圧縮手段に対して、前記書込対象記憶手段に格納されている書込対象画像情報に不可逆圧縮処理を施して不可逆圧縮情報を生成させ、
前記メモリ書込手段に対して、前記不可逆圧縮手段により生成された不可逆圧縮情報を前記第１外部メモリへ書き込ませ、
前記第１外部メモリが取り外され、前記第２外部メモリが装着された場合に、前記生成画像記憶手段に格納された原稿画像情報を、前記書込対象画像情報として前記書込対象記憶手段に書き込み、
前記不可逆圧縮手段に対して、前記書込対象記憶手段に格納されている書込対象画像情報に不可逆圧縮処理を施して不可逆圧縮情報を生成させ、
前記メモリ書込手段に対して、前記不可逆圧縮手段により生成された不可逆圧縮情報を前記第２外部メモリへ書き込ませることを特徴とする請求項５に記載の画像形成装置。
【請求項７】
２以上の第２所定数の原稿画像情報に合成処理を施して１の合成画像情報を生成する画像合成手段と、
前記合成画像情報に対して前記不可逆圧縮処理を施して得られる不可逆圧縮情報を前記外部メモリへ書き込む合成画像保存処理を実行する合成画像保存手段と
を備え、
前記処理決定手段は、前記合成画像保存処理を選択可能に構成されていることを特徴とする請求項１に記載の画像形成装置。
【請求項８】
前記合成画像保存手段は、前記処理決定手段により前記合成画像保存処理が選択された場合に、
前記画像合成手段に対して、前記書込対象記憶手段に格納されている全ての原稿画像情報について、前記第２所定数の原稿画像情報毎に合成処理を施して合成画像情報を生成させ、
前記原稿画像書込手段に対して、前記書込対象記憶手段に、前記書込対象画像情報として、前記画像合成手段により生成された合成画像情報を書き込ませ、
前記不可逆圧縮手段に対して、前記書込対象記憶手段に格納されている前記合成画像情報に対して不可逆圧縮処理を施し不可逆圧縮情報を生成させ、
前記メモリ書込手段に対して、前記不可逆圧縮手段により生成された不可逆圧縮情報を前記外部メモリへ書き込ませ、
前記画像生成手段により前記第２所定数分の原稿画像情報が生成される度に、前記画像合成手段に対して、前記第２所定数の原稿画像情報に合成処理を施して１の合成画像情報を生成させ、
前記画像合成手段により合成画像情報が生成される度に、前記原稿画像書込手段に対して、前記書込対象記憶手段に、前記書込対象画像情報として、前記画像合成手段により生成された合成画像情報を書き込ませることを特徴とする請求項７に記載の画像形成装置。
【請求項９】
前記画像合成手段は、外部からの操作入力を受け付け、受け付けられた操作入力に基づいて、前記第２所定数を設定することを特徴とする請求項７又は請求項８に記載の画像形成装置。
【請求項１０】
前記原稿画像書込手段は、前記書込対象画像情報を１のファイルに編集して、前記書込対象記憶手段に書き込むことを特徴とする請求項１〜請求項９のいずれかに記載の画像形成装置。
【請求項１１】
前記原稿画像書込手段は、前記書込対象画像情報に対して可逆圧縮処理を施して、前記書込対象記憶手段に書き込むことを特徴とする請求項１〜請求項１０のいずれかに記載の画像形成装置。
【請求項１２】
前記不可逆圧縮手段は、前記不可逆圧縮処理として、ページ概念のある圧縮形式に圧縮処理を行うことを特徴とする請求項１〜請求項１１のいずれかに記載の画像形成装置。
【請求項１３】
前記不可逆圧縮手段は、前記不可逆圧縮処理として、ＰＤＦ（Ｐｏｒｔａｂｌｅ  Ｄｏｃｕｍｅｎｔ  Ｆｏｒｍａｔ）形式に圧縮処理を行うことを特徴とする請求項１２に記載の画像形成装置。
【発明の詳細な説明】
【技術分野】
【０００１】
本発明は、外部メモリが着脱自在に構成された画像形成装置に関するものである。特に、スキャナ、複写機、ファクシミリ、インターネットファクシミリ、及び、これらの機能の内、少なくとも１の機能を有する複合機に関するものである。
【背景技術】
【０００２】
原稿に形成された画像を読み取って画像情報を生成し、生成された画像情報をＨＤＤ（Ｈａｒｄ  Ｄｉｓｋ  Ｄｒｉｖｅ：ハードディスクドライブ）に格納する複写機等の画像形成装置がある。このような複写機では、複数枚の原稿を複数部だけコピーする場合に、複数枚の原稿に形成された画像を読み取り、形成された複数の画像情報を、一旦、ＨＤＤに格納した後、ＨＤＤから画像情報を読み出して印刷する。
【０００３】
このように、ＨＤＤに一旦画像情報を格納することにより、原稿に形成された画像を一度だけ読み取ることにより、前記複数枚の原稿を複数部だけコピーすることが可能となる。一方、ＨＤＤに格納することが可能な画像情報の個数を増大する（又は、必要なＨＤＤの容量を削減する）ため、画像情報に圧縮処理を施し、得られた圧縮画像情報をＨＤＤに格納することが提案されている（特許文献１参照）。
【特許文献１】特開２００４−１５９０６９号公報
【発明の開示】
【発明が解決しようとする課題】
【０００４】
一方、近年、ＵＳＢ（Ｕｎｉｖｅｒｓａｌ  Ｓｅｒｉａｌ  Ｂｕｓ）メモリ等の携帯式の不揮発性メモリの容量が飛躍的に増大しており、原稿に形成された画像を読み取って生成された画像情報をＵＳＢメモリ等の外部メモリに格納することが可能となってきている。しかしながら、画像情報の種類によって圧縮率が異なり、圧縮処理により得られる圧縮画像情報のサイズが異なるため、ＵＳＢメモリへ書き込み可能な圧縮画像情報の個数が、画像の種類によって異なる結果になる。
【０００５】
その結果、多数枚（例えば、１００枚）の原稿に形成された画像を読み取って、生成された画像情報をＵＳＢメモリ等の外部メモリに格納する際に、画像情報のサイズが外部メモリの容量を超えて格納不能となることがあった。このような場合には、例えば、原稿の枚数を減らして、再度、原稿に形成された画像を読み取って画像情報を生成する必要があり、ユーザの利便性を改善する必要があった。
【０００６】
本発明は、上記課題に鑑みてなされたものであって、原稿に形成された画像を読み取って、生成された画像情報を外部メモリに格納する際に、ユーザの利便性が確保され得る画像形成装置を提供することを目的としている。
【課題を解決するための手段】
【０００７】
上記目的を達成するために請求項１に記載の画像形成装置は、外部メモリが着脱自在に構成された画像形成装置であって、枚数が２以上の第１所定数である原稿にそれぞれ形成された画像を、原稿毎に順次読み取ることにより、前記第１所定数の個数の原稿画像情報を生成する画像生成手段と、外部メモリに書き込む対象の画像情報である書込対象画像情報を格納する書込対象記憶手段と、前記画像生成手段により原稿画像情報が生成される度に、生成された原稿画像情報を、前記書込対象記憶手段に、前記書込対象画像情報として、既に格納されている原稿画像情報に追加して書き込む原稿画像書込手段と、前記原稿画像書込手段により原稿画像情報が前記書込対象記憶手段に書き込まれる度に、前記書込対象記憶手段に格納されている前記書込対象画像情報に対して不可逆圧縮処理を施し不可逆圧縮情報を生成する不可逆圧縮手段と、前記不可逆圧縮手段により不可逆圧縮情報が生成される度に、前記不可逆圧縮情報を前記外部メモリへ書き込むメモリ書込手段と、前記メモリ書込手段により前記外部メモリへ書き込むことができない場合に、外部からの操作入力を受け付け、受け付けられた操作入力に基づいて、予め設定された複数の処理の中から１の処理を選択する処理決定手段とを備え、前記メモリ書込手段が、前記外部メモリに既に不可逆圧縮情報が格納されている場合には、格納されている不可逆圧縮情報に上書きして、前記不可逆圧縮手段により生成された不可逆圧縮情報を書き込むことを特徴としている。
【０００８】
請求項２に記載の画像形成装置は、請求項１に記載の画像形成装置であって、装着されていた外部メモリである第１外部メモリが取り外され、新たな外部メモリである第２外部メモリが装着される場合に、前記第２外部メモリに前記不可逆圧縮情報を書き込む処理である保存先変更処理を実行する保存先変更手段を備え、前記処理決定手段が、前記保存先変更処理を選択可能に構成されていることを特徴としている。
【０００９】
請求項３に記載の画像形成装置は、請求項２に記載の画像形成装置であって、前記保存先変更手段が、前記処理決定手段により前記保存先変更処理が選択され、前記第１外部メモリが取り外され、前記第２外部メモリが装着された場合に、前記不可逆圧縮手段に対して、前記書込対象記憶手段に格納されている書込対象画像情報に不可逆圧縮処理を施して不可逆圧縮情報を生成させ、前記メモリ書込手段に対して、前記不可逆圧縮手段により生成された不可逆圧縮情報を前記第２外部メモリへ書き込ませることを特徴としている。
【００１０】
請求項４に記載の画像形成装置は、請求項２又は請求項３に記載の画像形成装置であって、前記第１外部メモリが取り外され、前記第２外部メモリが装着される度に、前記第２外部メモリの容量情報を取得する容量取得手段と、前記第２外部メモリの容量が、前記第１外部メモリの容量以下であるか否かを判定する容量判定手段と、前記容量判定手段により、前記第２外部メモリの容量が、前記第１外部メモリの容量以下である判定された場合に、前記保存先変更手段に対して、前記保存先変更処理の実行を禁止する禁止手段とを備えることを特徴としている。
【００１１】
請求項５に記載の画像形成装置は、請求項１に記載の画像形成装置であって、装着されていた外部メモリである第１外部メモリが取り外され、新たな外部メモリである第２外部メモリが装着される場合に、前記不可逆圧縮情報を、前記第１外部メモリと、前記第２外部メモリとに分割して書き込む処理である保存先分割処理を実行する分割実行手段を備え、前記処理決定手段が、前記保存先分割処理を選択可能に構成されていることを特徴としている。
【００１２】
請求項６に記載の画像形成装置は、請求項５に記載の画像形成装置であって、前記画像生成手段により生成された原稿画像情報を格納する生成画像記憶手段を備え、前記分割実行手段が、前記処理決定手段により前記保存先分割処理が選択された場合に、前記書込対象記憶手段に格納された書込対象画像情報の内、前記生成画像記憶手段に格納されている原稿画像情報を削除して書込対象画像情報を書き換えて前記書込対象記憶手段に書き込み、前記不可逆圧縮手段に対して、前記書込対象記憶手段に格納されている書込対象画像情報に不可逆圧縮処理を施して不可逆圧縮情報を生成させ、前記メモリ書込手段に対して、前記不可逆圧縮手段により生成された不可逆圧縮情報を前記第１外部メモリへ書き込ませ、前記第１外部メモリが取り外され、前記第２外部メモリが装着された場合に、前記生成画像記憶手段に格納された原稿画像情報を、前記書込対象画像情報として前記書込対象記憶手段に書き込み、前記不可逆圧縮手段に対して、前記書込対象記憶手段に格納されている書込対象画像情報に不可逆圧縮処理を施して不可逆圧縮情報を生成させ、前記メモリ書込手段に対して、前記不可逆圧縮手段により生成された不可逆圧縮情報を前記第２外部メモリへ書き込ませることを特徴としている。
【００１３】
請求項７に記載の画像形成装置は、請求項１に記載の画像形成装置であって、２以上の第２所定数の原稿画像情報に合成処理を施して１の合成画像情報を生成する画像合成手段と、前記合成画像情報に対して前記不可逆圧縮処理を施して得られる不可逆圧縮情報を前記外部メモリへ書き込む合成画像保存処理を実行する合成画像保存手段とを備え、前記処理決定手段が、前記合成画像保存処理を選択可能に構成されていることを特徴としている。
【００１４】
請求項８に記載の画像形成装置は、請求項７に記載の画像形成装置であって、前記合成画像保存手段が、前記処理決定手段により前記合成画像保存処理が選択された場合に、前記画像合成手段に対して、前記書込対象記憶手段に格納されている全ての原稿画像情報について、前記第２所定数の原稿画像情報毎に合成処理を施して合成画像情報を生成させ、前記原稿画像書込手段に対して、前記書込対象記憶手段に、前記書込対象画像情報として、前記画像合成手段により生成された合成画像情報を書き込ませ、前記不可逆圧縮手段に対して、前記書込対象記憶手段に格納されている前記合成画像情報に対して不可逆圧縮処理を施し不可逆圧縮情報を生成させ、前記メモリ書込手段に対して、前記不可逆圧縮手段により生成された不可逆圧縮情報を前記外部メモリへ書き込ませ、前記画像生成手段により前記第２所定数分の原稿画像情報が生成される度に、前記画像合成手段に対して、前記第２所定数の原稿画像情報に合成処理を施して１の合成画像情報を生成させ、前記画像合成手段により合成画像情報が生成される度に、前記原稿画像書込手段に対して、前記書込対象記憶手段に、前記書込対象画像情報として、前記画像合成手段により生成された合成画像情報を書き込ませることを特徴としている。
【００１５】
請求項９に記載の画像形成装置は、請求項７又は請求項８に記載の画像形成装置であって、前記画像合成手段が、外部からの操作入力を受け付け、受け付けられた操作入力に基づいて、前記第２所定数を設定することを特徴としている。
【００１６】
請求項１０に記載の画像形成装置は、請求項１〜請求項９のいずれかに記載の画像形成装置であって、前記原稿画像書込手段は、前記書込対象画像情報を１のファイルに編集して、前記書込対象記憶手段に書き込むことを特徴としている。
【００１７】
請求項１１に記載の画像形成装置は、請求項１〜請求項１０のいずれかに記載の画像形成装置であって、前記原稿画像書込手段は、前記書込対象画像情報に対して可逆圧縮処理を施して、前記書込対象記憶手段に書き込むことを特徴としている。
【００１８】
請求項１２に記載の画像形成装置は、請求項１〜請求項１１のいずれかに記載の画像形成装置であって、前記不可逆圧縮手段が、前記不可逆圧縮処理として、ページ概念のある圧縮形式に圧縮処理を行うことを特徴としている。
【００１９】
請求項１３に記載の画像形成装置は、請求項１２に記載の画像形成装置であって、前記不可逆圧縮手段が、前記不可逆圧縮処理として、ＰＤＦ（Ｐｏｒｔａｂｌｅ  Ｄｏｃｕｍｅｎｔ  Ｆｏｒｍａｔ）方式の圧縮処理を行うことを特徴としている。
【発明の効果】
【００２０】
請求項１に記載の画像形成装置によれば、原稿画像情報が生成される度に、生成された原稿画像情報が、書込対象記憶手段に、書込対象画像情報として、既に格納されている原稿画像情報に追加して書き込まれるため、外部メモリの空き容量が不足して、外部メモリに書き込むことができない場合にも、それまでに生成された全ての原稿画像情報が書込対象記憶手段に格納されているので、再度、原稿に形成された画像を読み取る必要はなく、ユーザの利便性を向上できる。
【００２１】
また、メモリ書込手段により外部メモリへ書き込むことができない場合に、外部からの操作入力が受け付けられ、受け付けられた操作入力に基づいて、予め設定された複数の処理の中から１の処理が選択されるため、ユーザは所望する処理を選択することができ、利便性を向上できる。
【００２２】
更に、原稿画像情報に対応する書込対象画像情報に対して不可逆圧縮処理を施して生成された不可逆圧縮情報が外部メモリへ書き込まれるため、外部メモリへ格納する情報のサイズが削減され、より多くの原稿画像情報を外部メモリに格納することができる。
【００２３】
請求項２に記載の画像形成装置によれば、新たな外部メモリである第２外部メモリに不可逆圧縮情報を書き込む処理である保存先変更処理が実行可能に構成されているため、容量が充分に大きい第２外部メモリを装着することにより、生成される全ての原稿画像情報（＝第１所定数の原稿画像情報）に対応する不可逆圧縮情報を第２外部メモリに格納することができる。
【００２４】
請求項３に記載の画像形成装置によれば、装着されていた外部メモリである第１外部メモリが取り外され、新たな外部メモリである第２外部メモリが装着される場合に、書込対象記憶手段に格納されている書込対象画像情報に不可逆圧縮処理が施されて不可逆圧縮情報が生成され、生成された不可逆圧縮情報が第２外部メモリへ書き込まれるため、第１外部メモリから第２外部メモリへ保存先が変更される。従って、新たな外部メモリである第２外部メモリに不可逆圧縮情報を書き込む処理である保存先変更処理が容易に実行可能となる。
【００２５】
請求項４に記載の画像形成装置によれば、第２外部メモリの容量が第１外部メモリの容量以下である場合には、明らかに、第２外部メモリに、生成される全ての原稿画像情報（＝第１所定数の原稿画像情報）に対応する不可逆圧縮情報を格納することはできない。そこで、この場合に、保存先変更処理の実行が禁止されるため、無駄な処理が行われることが未然に防止され、ユーザの利便性を更に向上できる。
【００２６】
請求項５に記載の画像形成装置によれば、装着されていた外部メモリである第１外部メモリと、新たな外部メモリである第２外部メモリとに分割して書き込む処理である保存先分割処理が実行可能に構成されているため、不可逆圧縮情報が、第１外部メモリと第２外部メモリとに分割して書き込まれ、小さい容量の外部メモリを複数個用いることにより多数の原稿の原稿画像情報に対応する不可逆圧縮情報を格納することができる。
【００２７】
請求項６に記載の画像形成装置によれば、書込対象記憶手段に格納された書込対象画像情報の内、生成画像記憶手段に格納されている原稿画像情報を削除して書込対象画像情報が書き換えられ、書き換えられた書込対象画像情報に不可逆圧縮処理が施されて生成された不可逆圧縮情報が第１外部メモリへ書き込まれるため、容量不足が発生する直前の原稿画像情報までが不可逆圧縮情報として第１外部メモリに格納される。
【００２８】
そして、第１外部メモリが取り外され、第２外部メモリが装着された場合に、生成画像記憶手段に格納された原稿画像情報が、書込対象画像情報として書込対象記憶手段に書き込まれ、その書込対象画像情報に不可逆圧縮処理が施されて生成された不可逆圧縮情報が第２外部メモリへ書き込まれるため、容量不足が発生する際に生成された原稿画像情報以降の原稿画像情報が第２外部メモリへ書き込まれる。
【００２９】
このようにして、不可逆圧縮情報を、第１外部メモリと第２外部メモリとに分割して書き込む処理である保存先分割処理が容易に実行可能となる。
【００３０】
請求項７に記載の画像形成装置によれば、２以上の第２所定数の原稿画像情報に合成処理を施し、生成された合成画像情報に対して不可逆圧縮処理を施して得られる不可逆圧縮情報を外部メモリへ書き込む合成画像保存処理を実行可能に構成されているため、不可逆圧縮情報のサイズが削減され、生成される全ての原稿画像情報（＝第１所定数の原稿画像情報）に対応する不可逆圧縮情報を、第２所定数を適当に設定することにより、外部メモリに格納することができる。
【００３１】
請求項８に記載の画像形成装置によれば、書込対象記憶手段に格納されている全ての原稿画像情報について、第２所定数の原稿画像情報毎に合成処理が施されて合成画像情報が生成され、書込対象記憶手段に書込対象画像情報として書き込まれ、その合成画像情報に対して不可逆圧縮処理が施されて不可逆圧縮情報を生成され、生成された不可逆圧縮情報が外部メモリへ書き込まれるため、容量不足が発生した際の原稿画像情報までが不可逆圧縮情報として外部メモリに格納される。
【００３２】
ここで、第２所定数（例えば、２）の原稿画像情報毎に合成処理（例えば、「２ｉｎ１」の処理）が施されて合成画像情報が生成された後、生成された合成画像情報に不可逆圧縮処理が施されるため、原稿画像情報に対して不可逆圧縮処理が施される場合と比較して、生成される不可逆圧縮情報のサイズが削減される。例えば、「２ｉｎ１」の処理を施す場合には、不可逆圧縮情報のサイズが略１／２となる。なお、第２所定数が大きい程、不可逆圧縮情報のサイズが小さくなるため、第２所定数を適当に設定することによって、不可逆圧縮情報のサイズを所望する大きさとすることができる。
【００３３】
また、第２所定数分の原稿画像情報が生成される度に、第２所定数の原稿画像情報に合成処理が施されて１の合成画像情報が生成され、書込対象記憶手段に、書込対象画像情報として書き込まれるため、書込対象記憶手段に、生成された原稿画像情報に対応する合成画像情報が格納される。すなわち、合成画像保存処理が選択されると、その後は、書込対象記憶手段に、書込対象画像情報として原稿画像情報に替えて、合成画像情報が格納され、合成画像情報に対して不可逆圧縮処理が施されて不可逆圧縮情報が生成される。
【００３４】
このようにして、２以上の第２所定数の原稿画像情報に合成処理を施し、生成された合成画像情報に対して不可逆圧縮処理を施して得られる不可逆圧縮情報を外部メモリへ書き込む合成画像保存処理が容易に実行可能となる。
【００３５】
請求項９に記載の画像形成装置によれば、外部からの操作入力が受け付けられ、受け付けられた操作入力に基づいて、合成処理する原稿画像情報の個数である第２所定数が設定されるため、ユーザは第２所定数を適当に設定することができる。その結果、外部メモリに格納することができるように、第２所定数を適当に設定することができ、更にユーザの利便性を更に向上することができる。
【００３６】
請求項１０に記載の画像形成装置によれば、書込対象画像情報が１のファイルに編集されて、書込対象記憶手段に書き込まれるため、その後の不可逆圧縮処理、外部メモリへの書き込み処理等の処理を簡略化できる。更に、外部メモリに１のファイルとして書き込まれているため、外部メモリに格納された画像情報のその後の処理が容易となる。
【００３７】
請求項１１に記載の画像形成装置によれば、書込対象画像情報に対して可逆圧縮処理が施されて、書込対象記憶手段に書き込まれるため、書込対象記憶手段の容量を削減することができる。また、圧縮処理が可逆圧縮処理であるため、書込対象画像情報の画質の劣化等を伴うことはなく、必要に応じて可逆圧縮処理後の書込対象画像情報に対して、伸張処理を施すことにより元の（＝圧縮処理前の）書込対象画像情報が得られる。
【００３８】
請求項１２に記載の画像形成装置によれば、不可逆圧縮処理としてページ概念のある圧縮形式に圧縮処理が行われるため、外部メモリに格納される不可逆圧縮情報に含まれる画像情報毎の処理（例えば、印刷処理等）をページ毎に行うことが可能となり、不可逆圧縮情報に含まれる画像情報毎の処理を容易に行うことができる。
【００３９】
請求項１３に記載の画像形成装置によれば、不可逆圧縮処理として、ＰＤＦ形式に圧縮処理が行われるため、ページ概念のある圧縮形式に、容易に不可逆圧縮処理を行うことができる。
【発明を実施するための最良の形態】
【００４０】
以下、本発明に係る画像形成装置の一例について図面を参照して説明する。図１は、本発明に係る画像形成装置の概略構成の一例を示すブロック図である。なお、ここでは、画像形成装置が、スキャナである場合について説明するが、原稿に形成された画像を読み取ることにより原稿画像情報を生成する他の画像形成装置（例えば、複写機、ファクシミリ、インターネットファクシミリ等）である形態でもよい。図１に示すように、スキャナ１は、画像生成部１１、制御部１２、ハードディスクドライブ（ＨＤＤ：Ｈａｒｄ  Ｄｉｓｋ  Ｄｒｉｖｅ）１３、及び、操作部１４を備えている。また、スキャナ１は、図略のＵＳＢ（Ｕｎｉｖｅｒｓａｌ  Ｓｅｒｉａｌ  Ｂｕｓ）インターフェイス部を備え、ＵＳＢメモリ２（外部メモリの一例に相当する）を着脱自在に構成されている。
【００４１】
画像生成部１１（画像生成手段の一部に相当する）は、原稿に形成された画像を読み取り原稿画像情報を生成するものであって、読み取り部１１１及びＡＤＦ１１２を備えている。読み取り部１１１は、読み取る対象の原稿に光を当て、反射光をＣＣＤ（Ｃｈａｒｇｅ  Ｃｏｕｐｌｅｄ  Ｄｅｖｉｃｅｓ）などで読み取って原稿画像情報を生成するものである。ＡＤＦ（Ａｕｔｏｍａｔｉｃ  Ｄｏｃｕｍｅｎｔ  Ｆｅｅｄｅｒ）１１２は、複数枚の原稿を、順次、読み取り部１１１の原稿読み取り位置へ搬送するものである。
【００４２】
制御部１２は、スキャナ１全体の動作を制御するものであって、ＣＰＵ（Ｃｅｎｔｒａｌ  Ｐｒｏｃｅｓｓｉｎｇ  Ｕｎｉｔ）１２１と、ＲＡＭ（Ｒａｎｄｏｍ  Ａｃｃｅｓｓ  Ｍｅｍｏｒｙ）１２２と、図略のＲＯＭ（Ｒｅａｄ  Ｏｎｌｙ  Ｍｅｍｏｒｙ）とを備えている。ＨＤＤ１３は、制御部１２からの指示に応じて各種情報を格納するものであって、ここでは、画像生成部１１で生成された画像情報を格納するものである。
【００４３】
操作部１４（操作手段の一部に相当する）は、ユーザからの操作入力を受け付けるものであって、例えば、複数の操作ボタンを備え、ボタンが押下されたことを受け付けて、対応する操作入力情報をＣＰＵ１１１に送信するものである。ここでは、操作部１４は、後述するように、不可逆圧縮情報を外部メモリへ書き込むことができない場合の処理方法の選択入力、及び、第２所定数を受け付けるものである。また、操作部１４は、ＡＤＦ１１２にセットされた原稿に形成された画像を読み取って原稿画像を生成し、生成した画像をＵＳＢメモリ２に格納する処理を開始する場合に、ユーザにより押下されるスタートボタンを備えている。
【００４４】
図２は、制御部１２及びＨＤＤ１３の一例を示す機能構成図である。ＣＰＵ１２１は、機能的に、画像生成制御部１２１ａ、画像合成部１２１ｂ、原稿画像書込部１２１ｃ、不可逆圧縮部１２１ｄ、メモリ書込部１２１ｅ、処理決定部１２１ｆ、分割実行部１２１ｇ、保存先変更部１２１ｈ、合成画像保存部１２１ｉ、容量取得部１２１ｊ、容量判定部１２１ｋ、及び、禁止部１２１ｍを備え、ＨＤＤ１３は、機能的に、生成画像記憶部１３ａ、及び、書込対象記憶部１３ｂを備えている。
【００４５】
ここでは、ＣＰＵ１２１が、ＲＯＭ等に予め格納されたプログラムを読み出して実行することにより、画像生成制御部１２１ａ、画像合成部１２１ｂ、原稿画像書込部１２１ｃ、不可逆圧縮部１２１ｄ、メモリ書込部１２１ｅ、処理決定部１２１ｆ、分割実行部１２１ｇ、保存先変更部１２１ｈ、合成画像保存部１２１ｉ、容量取得部１２１ｊ、容量判定部１２１ｋ、及び、禁止部１２１ｍ等の機能部として機能すると共に、ＨＤＤ１３を、生成画像記憶部１３ａ、及び、書込対象記憶部１３ｂ等の機能部として機能させるものである。
【００４６】
また、ＲＡＭ１２２、ＨＤＤ１３に格納された各種データのうち装着脱可能な記録媒体に格納され得るデータは、例えば、光ディスクドライブ、フレキシブルディスクドライブ、シリコンディスクドライブ、カセット媒体読み取り機等のドライバで読み取り可能にしてもよく、この場合、記録媒体は、例えば、光ディスク、フレキシブルディスク、ＣＤ、ＤＶＤ、半導体メモリ等である。
【００４７】
生成画像記憶部１３ａは、画像生成制御部１２１ａにより生成された１の原稿画像情報を格納するものである。また、生成画像記憶部１３ａには、画像生成制御部１２１ａにより原稿画像情報が生成される度に、生成された原稿画像情報が、原稿画像書込部１２１ｃによって、書き込まれるものである。
【００４８】
書込対象記憶部１３ｂは、ＵＳＢメモリ２に書き込む対象の画像情報である書込対象画像情報を格納するものである。また、書込対象記憶部１３ｂには、画像生成制御部１２１ａにより原稿画像情報が生成される度に、生成された原稿画像情報が、原稿画像書込部１２１ｃによって、書込対象画像情報として、既に格納されている原稿画像情報に追加して書き込まれるものである。
【００４９】
画像生成制御部１２１ａ（画像生成手段の一部に相当する）は、画像生成部１１を介して、枚数が２以上の第１所定数Ｌである原稿にそれぞれ形成された画像を、原稿毎に順次読み取ることにより、第１所定数Ｌの個数（＝Ｌ個）の原稿画像情報を生成するものである。第１所定数Ｌは、例えば、画像生成部１１のＡＤＦ１１２にセットされた原稿の枚数である。
【００５０】
画像合成部１２１ｂ（画像合成手段に相当する）は、操作部１４を介してユーザからの操作入力を受け付け、受け付けられた操作入力に基づいて、第２所定数Ｎを設定し、設定された第２所定数Ｎ分（すなわち、Ｎ個）の原稿画像情報に合成処理を施して１の合成画像情報を生成するものである。ここでは、合成処理は、いわゆる「Ｎｉｎ１」処理であるものとする。例えば、「２ｉｎ１」処理とは、２ページの文書を１ページに収めて印刷出力が可能とするべく、２つの原稿画像情報を１つの画像情報に合成するものである。
【００５１】
原稿画像書込部１２１ｃ（原稿画像書込手段に相当する）は、画像生成制御部１２１ａにより原稿画像情報が生成される度に（又は、画像合成部１２１ｂにより合成画像情報が生成される度に）、生成された原稿画像情報（又は、合成画像情報）を、書込対象記憶部１３ｂに、書込対象画像情報として、既に格納されている原稿画像情報（合成画像情報）に追加して書き込むものである。また、原稿画像書込部１２１ｃは、書込対象画像情報を１のファイルに編集して、得られた１のファイルに対して可逆圧縮処理を施して、書込対象記憶部１３ｂに書き込むものである。ここでは、可逆圧縮処理として、例えば、ＧＩＦ（Ｇｒａｐｈｉｃ  Ｉｎｔｅｒｃｈａｎｇｅ  Ｆｏｒｍａｔ）形式、又は、可逆圧縮方式のＰＤＦ（Ｐｏｒｔａｂｌｅ  Ｄｏｃｕｍｅｎｔ  Ｆｏｒｍａｔ）形式に圧縮処理を行うものである。
【００５２】
また、原稿画像書込部１２１ｃは、画像生成制御部１２１ａにより原稿画像情報が生成される度に（又は、画像合成部１２１ｂにより合成画像情報が生成される度に）、生成された原稿画像情報（又は、合成画像情報）を、生成画像記憶部１３ａにも書き込むものである。なお、生成画像記憶部１３ａに、既に原稿画像情報（又は、合成画像情報）が格納されている場合には、画像生成制御部１２１ａにより生成された原稿画像情報（又は、合成画像情報）を上書きして書き込むものである。
【００５３】
不可逆圧縮部１２１ｄ（不可逆圧縮手段に相当する）は、原稿画像書込部１２１ｃにより原稿画像情報が書込対象記憶部１３ｂに書き込まれる度に、書込対象記憶部１３ｂに格納されている書込対象画像情報に対して不可逆圧縮処理を施し不可逆圧縮情報を生成するものである。また、不可逆圧縮部１２１ｄは、不可逆圧縮処理として、ページ概念のある圧縮形式に圧縮処理を行うものであり、ここでは、不可逆圧縮処理として、不可逆圧縮方式のＰＤＦ形式に圧縮処理を行うものである。
【００５４】
メモリ書込部１２１ｅ（メモリ書込手段に相当する）は、不可逆圧縮部１２１ｄにより不可逆圧縮情報が生成される度に、不可逆圧縮情報をＵＳＢメモリ２へ書き込むものである。また、メモリ書込部１２１ｅは、ＵＳＢメモリ２に既に不可逆圧縮情報が格納されている場合には、格納されている不可逆圧縮情報に上書きして、不可逆圧縮部１２１ｄにより生成された不可逆圧縮情報を書き込むものである。ここで、図３、図４を用いて、原稿画像書込部１２１ｃ及びメモリ書込部１２１ｅの動作の一例を具体的に説明する。
【００５５】
図３は、１枚目の原稿に対応する原稿画像情報が生成された場合のＨＤＤ１３に格納される画像情報を説明する概念図である。（ａ）に示すように、ＨＤＤ１３の生成画像記憶部１３ａには、まず、原稿画像書込部１２１ｃによって画像生成制御部１２１ａにより生成された１枚目の原稿に対応する原稿画像情報Ｐ１が書き込まれる。次に、（ｂ）に示すように、原稿画像書込部１２１ｃによって１枚目の原稿に対応する原稿画像情報Ｐ１がＨＤＤ１３の書込対象記憶部１３ｂに書き込まれる。そして、書込対象記憶部１３ｂに格納された１枚目の原稿に対応する書込対象画像情報Ｐ１に対して不可逆圧縮部１２１ｄによって不可逆圧縮処理が施されて不可逆圧縮情報が生成され、生成された不可逆圧縮情報がメモリ書込部１２１ｅによって、ＵＳＢメモリ２Ａへ書き込まれる。
【００５６】
図４は、２枚目（Ｍ枚目）の原稿に対応する原稿画像情報が生成された場合のＨＤＤ１３に格納される画像情報を説明する概念図である。（ａ）に示すように、ＨＤＤ１３の生成画像記憶部１３ａには、原稿画像書込部１２１ｃによって画像生成制御部１２１ａにより生成された２枚目の原稿に対応する原稿画像情報Ｐ２が書き込まれる。そして、原稿画像書込部１２１ｃによって２枚目の原稿に対応する原稿画像情報Ｐ２が、１枚目の原稿に対応する原稿画像情報Ｐ１に追加して、ＨＤＤ１３の書込対象記憶部１３ｂに書き込まれる。次に、書込対象記憶部１３ｂに格納された１枚目の原稿に対応する書込対象画像情報Ｐ１及び２枚目の原稿に対応する書込対象画像情報Ｐ２に対して不可逆圧縮部１２１ｄによって不可逆圧縮処理が施されて不可逆圧縮情報が生成され、生成された不可逆圧縮情報がメモリ書込部１２１ｅによって、ＵＳＢメモリ２Ａへ書き込まれる。
【００５７】
また、（ｂ）に示すように、ＨＤＤ１３の生成画像記憶部１３ａには、原稿画像書込部１２１ｃによって画像生成制御部１２１ａにより生成されたＭ枚目の原稿に対応する原稿画像情報Ｐ（Ｍ）が書き込まれる。そして、原稿画像書込部１２１ｃによってＭ枚目の原稿に対応する原稿画像情報Ｐ（Ｍ）が、１〜（Ｍ−１）枚目の原稿に対応する原稿画像情報Ｐ１〜Ｐ（Ｍ−１）に追加して、ＨＤＤ１３の書込対象記憶部１３ｂに書き込まれる。次に、書込対象記憶部１３ｂに格納された１〜Ｍ枚目の原稿に対応する書込対象画像情報Ｐ１〜Ｐ（Ｍ）に対して不可逆圧縮部１２１ｄによって不可逆圧縮処理が施されて不可逆圧縮情報が生成され、生成された不可逆圧縮情報がメモリ書込部１２１ｅによって、ＵＳＢメモリ２Ａへ書き込まれる。
【００５８】
再び、図２に示す機能構成図に戻って、制御部１２の機能構成について説明する。処理決定部１２１ｆ（処理決定手段に相当する）は、メモリ書込部１２１ｅによりＵＳＢメモリ２へ書き込むことができない場合に、受け付けられた操作入力に基づいて、予め設定された複数の処理（ここでは、保存先分割処理、保存先変更処理、合成画像保存処理及びＨＤＤ保存処理）の中から１の処理を選択するものである。
【００５９】
分割実行部１２１ｇ（分割実行手段に相当する）は、装着されていたＵＳＢメモリ２であるＵＳＢメモリ２Ａ（第１外部メモリに相当する：図５参照）が取り外され、新たなＵＳＢメモリ２Ｂ（第２外部メモリに相当する：図５参照）が装着される場合に、不可逆圧縮情報を、ＵＳＢメモリ２Ａと、ＵＳＢメモリ２Ｂとに分割して書き込む処理である保存先分割処理を実行するものである。具体的には、分割実行部１２１ｇは、処理決定部１２１ｆにより保存先分割処理が選択された場合に、ＵＳＢメモリ２Ａに不可逆圧縮情報を書き込む処理と、ＵＳＢメモリ２Ｂに不可逆圧縮情報を書き込む処理とを行う。
【００６０】
ＵＳＢメモリ２Ａに不可逆圧縮情報を書き込む処理として、まず、既に書込対象記憶部１３ｂに格納された書込対象画像情報（例えば、（Ｍ＋１）枚の原稿に対応する画像情報：ただし、Ｍ＜第１所定数Ｌ）の内、生成画像記憶部１３ａに格納されている原稿画像情報を削除して書込対象画像情報を書き換えて書込対象記憶部１３ｂに書き込み、次に、不可逆圧縮部１２１ｄに対して、書込対象記憶部１３ｂに格納されている書込対象画像情報（例えば、Ｍ枚の原稿に対応する画像情報）に不可逆圧縮処理を施して不可逆圧縮情報を生成させ、そして、メモリ書込部１２１ｅに対して、不可逆圧縮部１２１ｄにより生成された不可逆圧縮情報をＵＳＢメモリ２Ａへ書き込ませる。
【００６１】
ＵＳＢメモリ２Ｂに不可逆圧縮情報を書き込む処理として、まず、ＵＳＢメモリ２Ａが取り外され、ＵＳＢメモリ２Ｂが装着された場合に、生成画像記憶部１３ａに格納された原稿画像情報を、書込対象画像情報として書込対象記憶部１３ｂに書き込み、次に、不可逆圧縮部１２１ｄに対して、書込対象記憶部１３ｂに格納されている書込対象画像情報に不可逆圧縮処理を施して不可逆圧縮情報を生成させ、そして、メモリ書込部１２１ｅに対して、不可逆圧縮部１２１ｄにより生成された不可逆圧縮情報をＵＳＢメモリ２Ｂへ書き込ませる。
【００６２】
図５は、保存先分割処理が選択された場合にＨＤＤ１３に格納される画像情報を説明する概念図である。（ａ）に示すように、１〜（Ｍ＋１）枚目の原稿に対応する不可逆圧縮情報をＵＳＢメモリ２Ａへ書き込むことができない場合には、生成画像記憶部１３ａには、（Ｍ＋１）枚目の原稿の原稿画像情報Ｐ（Ｍ＋１）が格納され、書込対象記憶部１３ｂには、１枚目から（Ｍ＋１）枚目までの原稿画像情報に対応する不可逆圧縮情報が格納されている。
【００６３】
上述のように、分割実行部１２１ｇによって、ＵＳＢメモリ２Ａに１枚目からＭ枚目までの原稿画像情報に対応する不可逆圧縮情報が格納されて、ＵＳＢメモリ２Ａが取り外され、ＵＳＢメモリ２Ｂが装着された場合に、（ｂ）に示すように、分割実行部１２１ｇによって、書込対象記憶部１３ｂには、（Ｍ＋１）枚目の原稿に対応する原稿画像情報が書込対象画像情報Ｐ（Ｍ＋１）として格納され、書込対象画像情報Ｐ（Ｍ＋１）に対して不可逆圧縮処理を施して生成された不可逆圧縮情報がＵＳＢメモリ２Ｂに書き込まれる。
【００６４】
再び、図２に示す機能構成図に戻って、制御部１２の機能構成について説明する。保存先変更部１２１ｈは、装着されていたＵＳＢメモリ２であるＵＳＢメモリ２Ａ（第１外部メモリに相当する）が取り外され、新たなＵＳＢメモリ２Ｂ（第２外部メモリに相当する）が装着される場合に、ＵＳＢメモリ２Ｂに不可逆圧縮情報を書き込む処理である保存先変更処理を実行するものである。
【００６５】
具体的には、保存先変更部１２１ｈは、処理決定部１２１ｆにより保存先変更処理が選択され、ＵＳＢメモリ２Ａが取り外され、ＵＳＢメモリ２Ｂが装着された場合に、不可逆圧縮部１２１ｄに対して、書込対象記憶部１３ｂに格納されている書込対象画像情報に不可逆圧縮処理を施して不可逆圧縮情報を生成させ、メモリ書込部１２１ｅに対して、不可逆圧縮部１２１ｄにより生成された不可逆圧縮情報をＵＳＢメモリ２Ｂへ書き込ませるものである。なお、保存先変更部１２１ｈは、禁止部１２１ｍによって保存先変更処理の実行が禁止されている場合には、保存先変更処理は行われず、禁止部１２１ｍによってエラーメッセージが出力される。
【００６６】
合成画像保存部１２１ｉは、画像合成部１２１ｂにより生成された合成画像情報に対して不可逆圧縮処理を施して得られる不可逆圧縮情報を外部メモリ２へ書き込む合成画像保存処理を実行するものである。具体的には、合成画像保存部１２１ｉは、処理決定部１２１ｆにより合成画像保存処理が選択された場合に、既に生成されて生成画像記憶部１３ａ及び書込対象記憶部１３ｂに格納されている情報を合成画像情報に変換する処理と、新たに発生する画像情報に対する処理とを行う。
【００６７】
既に生成されて生成画像記憶部１３ａ及び書込対象記憶部１３ｂに格納されている情報を合成画像情報に変換する処理として、画像合成部１２１ｂに対して、書込対象記憶部１３ｂに格納されている全ての原稿画像情報について、第２所定数Ｎの原稿画像情報毎に合成処理を施して合成画像情報を生成させ、原稿画像書込部１２１ｃに対して、書込対象記憶部１３ｂに、書込対象画像情報として、画像合成部１２１ｂにより生成された合成画像情報を書き込ませ、不可逆圧縮部１２１ｄに対して、書込対象記憶部１３に格納されている合成画像情報に対して不可逆圧縮処理を施し不可逆圧縮情報を生成させ、メモリ書込部１２１ｅに対して、不可逆圧縮部１２１ｄにより生成された不可逆圧縮情報をＵＳＢメモリ２へ書き込ませる。
【００６８】
新たに発生する画像情報に対する処理として、画像生成制御部１２１ａにより第２所定数Ｎ分の原稿画像情報が生成される度に、画像合成部１２１ｂに対して、第２所定数Ｎの原稿画像情報に合成処理を施して１の合成画像情報を生成させ、画像合成部１２１ｂにより合成画像情報が生成される度に、原稿画像書込部１２１ｃに対して、書込対象記憶部１３ｂに、書込対象画像情報として、画像合成部１２１ｂにより生成された合成画像情報を書き込ませる。
【００６９】
図６は、合成画像保存処理が選択された場合にＨＤＤ１３に格納される画像情報を説明する概念図である。（ａ）に示すように、１〜（Ｍ＋１）枚目の原稿に対応する不可逆圧縮情報をＵＳＢメモリ２Ａへ書き込むことができない場合には、生成画像記憶部１３ａには、（Ｍ＋１）枚目の原稿の原稿画像情報Ｐ（Ｍ＋１）が格納され、書込対象記憶部１３ｂには、１枚目から（Ｍ＋１）枚目までの原稿画像情報に対応する不可逆圧縮情報が格納されている。
【００７０】
（ｂ）に示すように、合成画像保存部１２１ｉによって、書込対象記憶部１３ｂには、（Ｍ＋１）枚目の原稿に対応する合成画像情報が格納されると共に、この合成画像情報に対して不可逆圧縮処理を施して生成された不可逆圧縮情報がＵＳＢメモリ２に書き込まれる。また、合成画像保存部１２１ｉによって、新たに生成されたＮ個（ここでは、Ｎ＝２）の原稿画像情報に対して合成処理が施されて生成された合成画像情報（＝原稿画像情報Ｐ（Ｍ＋２）と原稿画像情報Ｐ（Ｍ＋３）との合成画像情報）が生成画像記憶部１３ａ及び書込対象記憶部１３ｂに書き込まれる。
【００７１】
容量取得部１２１ｊは、ＵＳＢメモリ２が取り外され、ＵＳＢメモリ２が装着される度に、新たに装着されたＵＳＢメモリ２Ｂの容量情報を取得するものである。
【００７２】
容量判定部１２１ｋは、新たに装着されたＵＳＢメモリ２Ｂの容量が、取り外されたＵＳＢメモリ２Ａの容量以下であるか否かを判定するものである。
【００７３】
禁止部１２１ｍは、容量判定部１２１ｋにより、新たに装着されたＵＳＢメモリ２Ｂの容量が、取り外されたＵＳＢメモリ２Ａの容量以下であると判定された場合に、保存先変更部１２１ｈに対して、保存先変更処理の実行を禁止するものである。
【００７４】
図７は、ＣＰＵ１２１の動作の一例を示すフローチャートである。まず、画像生成制御部１２１ａによって、操作部１４に配設されたスタートボタンが押下されたか否かが判定される（Ｓ１０１）。スタートボタンが押下されていないと判定された場合（Ｓ１０１でＮＯ）には、処理が待機状態とされる。スタートボタンが押下されたと判定された場合（Ｓ１０１でＹＥＳ）には、画像生成制御部１２１ａによって、原稿に形成された画像が読み取られて、原稿画像情報が生成される（Ｓ１０３）。
【００７５】
そして、画像合成部１２１ｂによって、図１０に示すステップＳ４１１において合成画像保存処理（ここでは、便宜上、「Ｎｉｎ１」モードという）が選択されているか否かの判定が行われる（Ｓ１０５）。「Ｎｉｎ１」モードが設定されている場合（Ｓ１０５でＹＥＳ）には、図８を用いて後述する合成画像書込処理が行われ（Ｓ１０７）、「Ｎｉｎ１」モードが設定されていない場合（Ｓ１０５でＮＯ）には、図９を用いて後述する原稿画像書込処理が行われる（Ｓ１０９）。ステップＳ１０７又はステップＳ１０９の処理が終了した場合には、不可逆圧縮部１２１ｄによって、書込対象記憶部１３ｂに格納された書込対象ファイルに対して不可逆圧縮処理が施され、不可逆圧縮情報が生成される（Ｓ１１１）。次に、図１０に示すステップＳ４０３、Ｓ４０７、Ｓ４１１において不可逆圧縮情報をＵＳＢメモリ２へ格納する処理（保存先分割処理、保存先変更処理及び合成画像保存処理のいずれかの処理）が選択されているか否かの判定が行われる（Ｓ１１３）。ＵＳＢメモリ２へ格納する処理が選択されていないと判定された場合（Ｓ１１３でＮＯ）には、不可逆圧縮情報がＨＤＤ１３に書き込まれ（Ｓ１１５）、処理がステップＳ１２３へ進められる。
【００７６】
ＵＳＢメモリ２へ格納する処理が選択されていると判定された場合（Ｓ１１３でＹＥＳ）には、不可逆圧縮情報をＵＳＢメモリ２へ書き込む処理が開始される（Ｓ１１７）。そして、処理決定部１２１ｆによって書き込み処理が成功したか否かの判定が行われる（Ｓ１１９）。書き込み処理が失敗したと判定された場合（Ｓ１１９でＮＯ）、図１０を用いて後述する方法選択処理が行われ（Ｓ１２１）、処理がステップＳ１０３に戻され、ステップＳ１０３以降の処理が繰り返し実行される。書き込み処理が成功したと判定された場合（Ｓ１１９でＹＥＳ）、及び、ステップ１１５の処理が終了した場合には、画像生成制御部１２１ａによって、ＡＤＦ１１２上に原稿が残っているか否かの判定が行われる（Ｓ１２３）。原稿が残っていると判定された場合（Ｓ１２３でＹＥＳ）には、処理がステップＳ１０３に戻され、ステップＳ１０３以降の処理が繰り返し実行される。原稿が残っていないと判定された場合（Ｓ１２３でＮＯ）には、処理が終了される。
【００７７】
図８は、図７に示すフローチャートのステップＳ１０７で行われる合成画像書込処理の一例を示す詳細フローチャートである。まず、画像合成部１２１ｂによって、第２所定数Ｎ分（すなわち、Ｎ個）の原稿画像情報に合成処理が施されて１の合成画像情報が生成される（Ｓ２０１）。そして、生成された合成画像に対して、原稿画像書込部１２１ｃによって、可逆圧縮処理（ここでは、可逆圧縮方式のＰＤＦ処理）が施され（Ｓ２０３）、可逆圧縮処理された合成画像が生成画像記憶部１３ａに格納される（Ｓ２０５）。次に、原稿画像書込部１２１ｃによって、ステップＳ２０１で生成された合成画像情報が、書込対象画像情報として、既に書込対象記憶部１３ｂに格納されている合成画像情報に追加されて１つの書込対象ファイルが生成される（Ｓ２０７）。そして、生成された書込対象ファイルが、原稿画像書込部１２１ｃによって、書込対象記憶部１３ｂに書き込まれ（Ｓ２０９）、処理が図７に示すフローチャートのステップＳ１０７へリターンされる。
【００７８】
図９は、図７に示すフローチャートのステップＳ１０９で行われる原稿画像書込処理の一例を示す詳細フローチャートである。まず、画像生成制御部１２１ａにより生成された原稿画像に対して、原稿画像書込部１２１ｃによって、可逆圧縮処理（ここでは、可逆圧縮方式のＰＤＦ処理）が施され（Ｓ３０１）、可逆圧縮処理された原稿画像が生成画像記憶部１３ａに格納される（Ｓ３０３）。次に、原稿画像書込部１２１ｃによって、図７のステップＳ１０３で生成された原稿画像情報が、書込対象画像情報として、既に書込対象記憶部１３ｂに格納されている原稿画像情報に追加されて１つの書込対象ファイルが生成される（Ｓ３０５）。そして、生成された書込対象ファイルが、原稿画像書込部１２１ｃによって、書込対象記憶部１３ｂに書き込まれ（Ｓ３０７）、処理が図７に示すフローチャートのステップＳ１０９へリターンされる。
【００７９】
図１０は、図７に示すフローチャートのステップＳ１２１で行われる方法選択処理の一例を示す詳細フローチャートである。まず、処理決定部１２１ｆによって、操作部１４を介して操作入力（選択入力）が受け付けられたか否かの判定が行われる（Ｓ４０１）。選択入力が受け付けられていないと判定された場合（Ｓ４０１でＮＯ）には、処理が待機状態とされる。選択入力が受け付けられたと判定された場合（Ｓ４０１でＹＥＳ）には、処理決定部１２１ｆによって、保存先分割処理が選択されたか否かの判定が行われる（Ｓ４０３）。保存先分割処理が選択されたと判定された場合（Ｓ４０３でＹＥＳ）には、図１１を用いて後述する保存先分割処理が実行され（Ｓ４０５）、処理が図７に示すフローチャートのステップ１２１へリターンされる。
【００８０】
保存先分割処理が選択されていないと判定された場合（Ｓ４０３でＮＯ）には、処理決定部１２１ｆによって、保存先変更処理が選択されたか否かの判定が行われる（Ｓ４０７）。保存先分割処理が選択されたと判定された場合（Ｓ４０７でＹＥＳ）には、図１２を用いて後述する保存先変更処理が実行され（Ｓ４０９）、処理が図７に示すフローチャートのステップ１２１へリターンされる。保存先変更割処理が選択されていないと判定された場合（Ｓ４０７でＮＯ）には、処理決定部１２１ｆによって、合成画像保存処理（ここでは、便宜上「Ｎｉｎ１」という）が選択されたか否かの判定が行われる（Ｓ４１１）。合成画像保存処理が選択されたと判定された場合（Ｓ４１１でＹＥＳ）には、図１３を用いて後述する合成画像保存処理が実行され（Ｓ４１３）、処理が図７に示すフローチャートのステップ１２１へリターンされる。合成画像保存処理が選択されていないと判定された場合（Ｓ４１１でＮＯ）には、保存先がＨＤＤ１３に設定されて、図７に示すフローチャートのステップＳ１１１で生成された不可逆圧縮情報がＨＤＤ１３に書き込まれ、処理が図７に示すフローチャートのステップ１２１へリターンされる。
【００８１】
図１１は、図１０に示すフローチャートのステップＳ４０５で行われる分割処理の一例を示す詳細フローチャートである。なお、以下の処理は、特に明記した箇所を除き、分割実行部１２１ｇによって行われる。まず、既に書込対象記憶部１３ｂに格納された書込対象ファイルの内、生成画像記憶部１３ａに格納されている原稿画像情報が削除されて書込対象ファイルが変更される（Ｓ５０１）。そして、変更された書込対象ファイルが書込対象記憶部１３ｂに書き込まれる（Ｓ５０３）。次に、不可逆圧縮部１２１ｄによって、書込対象ファイルに対して、不可逆圧縮処理が施され（Ｓ５０５）、得られた不可逆圧縮情報が、メモリ書込部１２１ｅによって、ＵＳＢメモリ２へ書き込まれる（Ｓ５０７）。
【００８２】
次に、ＵＳＢメモリ２が交換されたか否かの判定が行われる（Ｓ５０９）。ＵＳＢメモリ２が交換されていないと判定された場合（Ｓ５０９でＮＯ）には、処理が待機状態とされる。ＵＳＢメモリ２が交換されたと判定された場合（Ｓ５０９でＹＥＳ）には、生成画像記憶部１３ａに格納されている原稿画像情報が読み出される（Ｓ５１１）。そして、読み出された原稿画像情報から書込対象ファイルが生成される（Ｓ５１３）。次に、生成された書込対象ファイルが書込対象記憶部１３ｂに書き込まれる（Ｓ５１５）。そして、不可逆圧縮部１２１ｄによって、書込対象ファイルに対して、不可逆圧縮処理が施され（Ｓ５１７）、得られた不可逆圧縮情報が、メモリ書込部１２１ｅによって、ＵＳＢメモリ２への書き込みが開始される（Ｓ５１９）。次いで、ＵＳＢメモリ２への書き込みが成功したか否かの判定が行われる（Ｓ５２１）。書き込みが成功したと判定された場合（Ｓ５２１でＹＥＳ）には、処理が図１０に示すフローチャートのステップＳ４０５へリターンされる。書き込みが成功しなかったと判定された場合（Ｓ５２１でＮＯ）には、エラーメッセージ（例えば、「書込に失敗しました。ＵＳＢメモリを交換してください。」というエラーメッセージ）がユーザに視認可能に表示され（Ｓ５２３）、処理がステップＳ５０９に戻され、ステップＳ５０９以降の処理が繰り返し実行される。
【００８３】
図１２は、図１０に示すフローチャートのステップＳ４０９で行われる保存先変更処理の一例を示す詳細フローチャートである。なお、以下の処理は、特に明記した箇所を除き、保存先変更部１２１ｈによって行われる。まず、容量取得部１２１ｊによって、ＵＳＢメモリ２が交換されたか否かの判定が行われる（Ｓ６０１）。ＵＳＢメモリ２が交換されていないと判定された場合（Ｓ６０１でＮＯ）には、処理が待機状態とされる。ＵＳＢメモリ２が交換されたと判定された場合（Ｓ６０１でＹＥＳ）には、容量取得部１２１ｊによって、新たに装着されたＵＳＢメモリ２の容量情報が取得され、容量判定部１２１ｋによって、装着されていたＵＳＢメモリ２の容量より大きいか否かの判定が行われる（Ｓ６０３）。装着されていたＵＳＢメモリ２の容量以下であると判定された場合（Ｓ６０３でＮＯ）には、エラーメッセージ（例えば、「容量の大きなＵＳＢメモリに交換してください。」というエラーメッセージ）がユーザに視認可能に表示され（Ｓ６０５）、処理がステップＳ６０１に戻され、ステップＳ６０１以降の処理が繰り返し実行される。
【００８４】
装着されていたＵＳＢメモリ２の容量より大きいと判定された場合（Ｓ６０３でＹＥＳ）には、不可逆圧縮部１２１ｄによって、書込対象ファイルに対して、不可逆圧縮処理が施され（Ｓ６０７）、得られた不可逆圧縮情報が、メモリ書込部１２１ｅによって、ＵＳＢメモリ２への書き込みが開始される（Ｓ６０９）。次いで、ＵＳＢメモリ２への書き込みが成功したか否かの判定が行われる（Ｓ６１１）。書き込みが成功したと判定された場合（Ｓ６１１でＹＥＳ）には、処理が図１０に示すフローチャートのステップＳ４０９へリターンされる。書き込みが成功しなかったと判定された場合（Ｓ６１１でＮＯ）には、エラーメッセージ（例えば、「書込に失敗しました。ＵＳＢメモリを交換してください。」というエラーメッセージ）がユーザに視認可能に表示され（Ｓ６１３）、処理がステップＳ６０１に戻され、ステップＳ６０１以降の処理が繰り返し実行される。
【００８５】
図１３は、図１０に示すフローチャートのステップＳ４１３で行われる合成画像保存処理の一例を示す詳細フローチャートである。なお、以下の処理は、特に明記した箇所を除き、合成画像保存部１２１ｉによって行われる。まず、画像合成部１２１ｂによって、合成される原稿画像情報の個数Ｎ（第２所定数）が受け付けられたか否かの判定が行われる（Ｓ７０１）。個数Ｎが受け付けられていないと判定された場合（Ｓ７０１でＮＯ）には、処理が待機状態とされる。個数Ｎが受け付けられたと判定された場合（Ｓ７０１でＹＥＳ）には、画像合成部１２１ｂによって、書込対象記憶部１３ｂに格納されている書込対象ファイルが読み出され（Ｓ７０３）、書込対象ファイル内の全ての原稿画像情報が抽出され（Ｓ７０５）、抽出された原稿画像情報に対して可逆伸張処理が施される（Ｓ７０７）。そして、画像合成部１２１ｂによって、第２所定数Ｎの原稿画像情報毎に合成処理を施して合成画像情報が生成される（Ｓ７０９）。次に、原稿画像書込部１２１ｃによって、書込対象記憶部１３ｂに、書込対象画像情報として、画像合成部１２１ｂにより生成された合成画像情報が書き込まれる（Ｓ７１１）。
【００８６】
そして、不可逆圧縮部１２１ｄによって、書込対象記憶部１３に格納されている合成画像情報に対して不可逆圧縮処理が施され不可逆圧縮情報を生成される（Ｓ７１３）。次いで、メモリ書込部１２１ｅによって、不可逆圧縮部１２１ｄにより生成された不可逆圧縮情報がＵＳＢメモリ２への書き込みが開始される（Ｓ７１５）。そして、ＵＳＢメモリ２への書き込みが成功したか否かの判定が行われる（Ｓ７１７）。書き込みが成功したと判定された場合（Ｓ７１７でＹＥＳ）には、処理が図１０に示すフローチャートのステップＳ４１３へリターンされる。書き込みが成功しなかったと判定された場合（Ｓ７１７でＮＯ）には、エラーメッセージ（例えば、「書込に失敗しました。ＵＳＢメモリを交換してください。」というエラーメッセージ）がユーザに視認可能に表示され（Ｓ７１９）、処理がステップＳ７０１に戻され、ステップＳ７０１以降の処理が繰り返し実行される。
【００８７】
このようにして、原稿画像情報が生成される度に、生成された原稿画像情報が、書込対象記憶部１３ｂに、書込対象画像情報として、既に格納されている原稿画像情報に追加して書き込まれるため、ＵＳＢメモリ２の空き容量が不足して、ＵＳＢメモリ２に書き込むことができない場合にも、それまでに生成された全ての原稿画像情報が書込対象記憶部１３ｂに格納されているので、再度、原稿に形成された画像を読み取る必要はなく、ユーザの利便性を向上できる。
【００８８】
また、メモリ書込部１２１ｅによりＵＳＢメモリ２へ書き込むことができない場合に、ユーザからの操作入力が受け付けられ、受け付けられた操作入力に基づいて、予め設定された複数の処理の中から１の処理が選択されるため、ユーザは所望する処理を選択することができ、利便性を向上できる。
【００８９】
更に、原稿画像情報に対応する書込対象画像情報に対して不可逆圧縮処理を施して生成された不可逆圧縮情報がＵＳＢメモリ２へ書き込まれるため、ＵＳＢメモリ２へ格納する情報のサイズが削減され、より多くの原稿画像情報をＵＳＢメモリ２に格納することができる。
【００９０】
加えて、装着されていたＵＳＢメモリ２であるＵＳＢメモリ２Ａが取り外され、新たなＵＳＢメモリ２Ｂが装着される場合に、ＵＳＢメモリ２Ｂに不可逆圧縮情報を書き込む処理である保存先変更処理を実行可能に構成されているので、容量が充分に大きいＵＳＢメモリ２Ｂを装着することにより、生成される全ての原稿画像情報（＝第１所定数Ｌの原稿画像情報）に対応する不可逆圧縮情報をＵＳＢメモリ２Ｂに格納することができる。
【００９１】
また、ＵＳＢメモリ２Ｂの容量がＵＳＢメモリ２Ａの容量以下である場合には、明らかに、ＵＳＢメモリ２Ｂ２に、生成される全ての原稿画像情報（＝第１所定数Ｌの原稿画像情報）に対応する不可逆圧縮情報を格納することはできない。そこで、この場合に、保存先変更処理の実行が禁止されるため、無駄な処理が行われることが未然に防止され、ユーザの利便性を更に向上できる。
【００９２】
更に、不可逆圧縮情報を、ＵＳＢメモリ２Ａと、ＵＳＢメモリ２Ｂとに分割して書き込む処理である保存先分割処理を実行可能に構成されているので、不可逆圧縮情報がＵＳＢメモリ２Ａと、ＵＳＢメモリ２Ｂとに分割して書き込まれるため、小さい容量のＵＳＢメモリ２を、複数個用いることにより、多数の原稿の原稿画像情報に対応する不可逆圧縮情報を格納することができる。
【００９３】
加えて、２以上の第２所定数の原稿画像情報に合成処理を施し、生成された合成画像情報に対して不可逆圧縮処理を施して得られる不可逆圧縮情報をＵＳＢメモリ２へ書き込む合成画像保存処理を実行可能に構成されているので、不可逆圧縮情報のサイズが削減されるため、生成される全ての原稿画像情報（＝第１所定数Ｌの原稿画像情報）に対応する不可逆圧縮情報を、第２所定数Ｎを適当に設定することにより、ＵＳＢメモリ２に格納することができる。
【００９４】
更に、ユーザからの操作入力が受け付けられ、受け付けられた操作入力に基づいて、合成処理する原稿画像情報の個数である第２所定数Ｎが設定されるため、ユーザは第２所定数Ｎを適当に設定することができる。その結果、ＵＳＢメモリ２に格納することができるように、第２所定数Ｎを適当に設定することができ、更にユーザの利便性を更に向上することができる。
【００９５】
更に、書込対象画像情報が１のファイルに編集されて、書込対象記憶部１３ｂに書き込まれるため、その後の不可逆圧縮処理、ＵＳＢメモリ２への書き込み処理等の処理を簡略化できる。更に、ＵＳＢメモリ２に１のファイルとして書き込まれているため、ＵＳＢメモリ２に格納された画像情報のその後の処理が容易となる。
【００９６】
加えて、書込対象画像情報に対して可逆圧縮処理が施されて、書込対象記憶部１３ｂに書き込まれるため、書込対象記憶部１３ｂの容量を削減することができる。また、圧縮処理が可逆圧縮処理であるため、書込対象画像情報の画質の劣化等を伴うことはなく、必要に応じて可逆圧縮処理後の書込対象画像情報に対して、伸張処理を施すことにより元の（＝圧縮処理前の）書込対象画像情報が得られる。
【００９７】
また、不可逆圧縮処理としてページ概念のある圧縮形式に圧縮処理が行われるため、ＵＳＢメモリ２に格納される不可逆圧縮情報に含まれる画像情報毎の処理（例えば、印刷処理等）をページ毎に行うことが可能となり、不可逆圧縮情報に含まれる画像情報毎の処理を容易に行うことができる。
【００９８】
加えて、不可逆圧縮処理として、ＰＤＦ形式に圧縮処理が行われるため、ページ概念のある圧縮形式に容易に不可逆圧縮処理を行うことができる。
【００９９】
なお、本発明は、以下の形態にも適用可能である。
（Ａ）本実施形態では、処理決定部１２１ｆが、保存先分割処理、保存先変更処理、合成画像保存処理及びＨＤＤ保存処理の中から１の処理を選択可能に構成されている場合について説明したが、保存先分割処理、保存先変更処理及び合成画像保存処理の少なくとも１の処理と、ＨＤＤ保存処理とを選択可能に構成されている形態でもよい。処理可能な選択方法が少ない程、処理が簡略化される。
【０１００】
（Ｂ）本実施形態では、原稿画像書込部１２１ｃが、原稿画像情報に対して可逆圧縮処理を施して書込対象記憶部１３ｂに書き込む場合について説明したが、原稿画像情報に対して不可逆圧縮処理を施して書込対象記憶部１３ｂに書き込む形態でもよい。この場合には、画像合成処理において画質の劣化が生じることがあるが、圧縮率を小さくすることができるため、書込対象記憶部１３ｂの容量を削減することができる。
【０１０１】
（Ｃ）本実施形態では、ＨＤＤ１３に生成画像記憶部１３ａ及び書込対象記憶部１３ｂを備える場合について説明したが、ＲＡＭ１２２に、生成画像記憶部１３ａ及び書込対象記憶部１３ｂの少なくとも一方を備える形態でもよい。この場合には、処理が高速化される。
【０１０２】
（Ｄ）本実施形態では、外部メモリがＵＳＢメモリ２である場合について説明したが、その他の着脱自在に構成されたメモリである形態でもよい。例えば、外部メモリがメモリカード、光ディスク、フレキシブルディスク、ＣＤ、ＤＶＤ等である形態でもよい。また、外部メモリが小型のＨＤＤである形態でもよい。このように、外部メモリが携帯可能な形態である場合には、画像情報が書き込まれた外部メモリを他の場所で読み出して使用することが可能となる。
【０１０３】
（Ｅ）本実施形態では、画像合成部１２１ｂが合成処理として「Ｎｉｎ１」処理を実行する場合について説明したが、他の方式の合成処理を実行する形態でもよい。例えば、単に、２つの画像を１の画像に合成する処理でもよい。この場合には、合成処理による画質の劣化を確実に防止できる。
【０１０４】
（Ｆ）本実施形態では、分割実行部１２１ｇが、既に書込対象記憶部１３ｂに格納された書込対象画像情報（例えば、（Ｍ＋１）枚の原稿に対応する画像情報：ただし、Ｍ＜第１所定数Ｌ）の内、生成画像記憶部１３ａに格納されている原稿画像情報を削除して書込対象画像情報を書き換えて書込対象記憶部１３ｂに書き込む場合について説明したが、分割実行部１２１ｇが、その他の方法でＭ枚の原稿に対応する書込対象画像情報を生成する形態でもよい。例えば、書込対象記憶部１３ｂは、（Ｍ＋１）枚の原稿に対応する書込対象画像情報に加えて、Ｍ枚の原稿に対応する書込対象画像情報を格納しており、分割実行部１２１ｇが、書込対象記憶部１３ｂに格納されたＭ枚の原稿に対応する書込対象画像情報を読み出すことにより、Ｍ枚の原稿に対応する書込対象画像情報を生成する形態でもよい。この場合には処理が簡略化される。
【図面の簡単な説明】
【０１０５】
【図１】は、本発明に係る画像形成装置の概略構成の一例を示すブロック図である。
【図２】は、制御部及びＨＤＤの一例を示す機能構成図である。
【図３】は、１枚目の原稿に対応する原稿画像情報が生成された場合のＨＤＤに格納される画像情報を説明する概念図である。
【図４】は、２枚目（Ｍ枚目）の原稿に対応する原稿画像情報が生成された場合のＨＤＤに格納される画像情報を説明する概念図である。
【図５】は、保存先分割処理が選択された場合にＨＤＤに格納される画像情報を説明する概念図である。
【図６】は、合成画像保存処理が選択された場合にＨＤＤに格納される画像情報を説明する概念図である。
【図７】は、ＣＰＵの動作の一例を示すフローチャートである。
【図８】は、図７に示すフローチャートのステップＳ１０７で行われる合成画像書込処理の一例を示す詳細フローチャートである。
【図９】は、図７に示すフローチャートのステップＳ１０９で行われる原稿画像書込処理の一例を示す詳細フローチャートである。
【図１０】は、図７に示すフローチャートのステップＳ１２１で行われる方法選択処理の一例を示す詳細フローチャートである。
【図１１】は、図１０に示すフローチャートのステップＳ４０５で行われる分割処理の一例を示す詳細フローチャートである。
【図１２】は、図１０に示すフローチャートのステップＳ４０９で行われる保存先変更処理の一例を示す詳細フローチャートである。
【図１３】は、図１０に示すフローチャートのステップＳ４１３で行われる合成画像保存処理の一例を示す詳細フローチャートである。
【符号の説明】
【０１０６】
１    スキャナ
１１    画像生成部（画像生成手段の一部）
１２    制御部
１２１    ＣＰＵ
１２１ａ    画像生成制御部（画像生成手段の一部）
１２１ｂ    画像合成部（画像合成手段）
１２１ｃ    原稿画像書込部（原稿画像書込手段）
１２１ｄ    不可逆圧縮部（不可逆圧縮手段）
１２１ｅ    メモリ書込部（メモリ書込手段）
１２１ｆ    処理決定部（処理決定手段）
１２１ｇ    分割実行部（分割実行手段）
１２１ｈ    保存先変更部（保存先変更手段）
１２１ｉ    合成画像保存部（合成画像保存手段）
１２１ｊ    容量取得部（容量取得手段）
１２１ｋ    容量判定部（容量判定手段）
１２１ｍ    禁止部（禁止手段）
１３    ＨＤＤ
１３ａ    生成画像記憶部（生成画像記憶手段）
１３ｂ    書込対象記憶部（書込対象記憶手段）
【図１】
2007235297.tif 000003
【図２】
2007235297.tif 000004
【図３】
2007235297.tif 000005
【図４】
2007235297.tif 000006
【図５】
2007235297.tif 000007
【図６】
2007235297.tif 000008
【図７】
2007235297.tif 000009
【図８】
2007235297.tif 000010
【図９】
2007235297.tif 000011
【図１０】
2007235297.tif 000012
【図１１】
2007235297.tif 000013
【図１２】
2007235297.tif 000014
【図１３】
2007235297.tif 000015